(57)【要約】【課題】ジャム処理によって装置内に備えられたシート収納部が開放され、シート収納部に収納されている印刷物が装置外に取り出された場合であっても、手間無く印刷物をすぐに持ち帰り可能とすることを目的とする。【解決手段】シートに画像を印刷する際に用いたデータを記憶部に保存する保存手段と、ジャムが検知されたときのシート収納部のシートの有無と、ジャムに対する処理が終了したときのシート収納部のシートの有無と、に応じて、記憶部に保存されているデータに基づいて、再印刷を実行し、画像が印刷されたシートをシート収納部に収納するか否かを制御する制御手段と、を有することによって課題を解決する。【選択図】図１０
2016097631.tif 000002
【特許請求の範囲】
【請求項１】
シートに画像を印刷する際に用いたデータを記憶部に保存する保存手段と、
ジャムが検知されたときのシート収納部のシートの有無と、前記ジャムに対する処理が終了したときの前記シート収納部のシートの有無と、に応じて、前記記憶部に保存されている前記データに基づいて、再印刷を実行し、画像が印刷されたシートを前記シート収納部に収納するか否かを制御する制御手段と、
を有する画像形成装置。
【請求項２】
前記制御手段は、前記ジャムが検知されたときに前記シート収納部にシートが有り、前記ジャムに対する処理が終了したときに前記シート収納部にシートが無かった場合、前記記憶部に保存されている前記データに基づいて、再印刷を実行し、画像が印刷されたシートを前記シート収納部に収納するよう制御する請求項１記載の画像形成装置。
【請求項３】
前記再印刷が実行され、前記シート収納部に収納された前記シートを前記画像形成装置の外に露出させる露出手段を更に有する請求項１又は２記載の画像形成装置。
【請求項４】
前記制御手段は、前記ジャムが検知されたときに前記シート収納部にシートが有り、前記ジャムに対する処理が終了したときに前記シート収納部にシートが無かった場合、操作表示部に再印刷を実行するか否かユーザに問い合わせる画面を表示し、前記画面を介して再印刷の実行が指示された場合、前記記憶部に保存されている前記データに基づいて、再印刷を実行し、画像が印刷されたシートを前記シート収納部に収納するよう制御する請求項１記載の画像形成装置。
【請求項５】
前記再印刷が実行された場合、前記記憶部から前記データを削除する削除手段を更に有する請求項１乃至４何れか１項記載の画像形成装置。
【請求項６】
前記ジャムに対する処理中に前記シート収納部のシートの有無の状態が変化したか否かを判定する判定手段と、
前記判定手段により前記シートの有無の状態が変化したと判定された場合、前記露出手段により前記シートが前記画像形成装置の外に露出させられた後に、印刷物が想定通りのものであるかユーザに問い合わせる問い合わせ手段と、
を更に有する請求項３記載の画像形成装置。
【請求項７】
画像形成装置が実行する情報処理方法であって、
シートに画像を印刷する際に用いたデータを記憶部に保存する保存ステップと、
ジャムが検知されたときのシート収納部のシートの有無と、前記ジャムに対する処理が終了したときの前記シート収納部のシートの有無と、に応じて、前記記憶部に保存されている前記データに基づいて、再印刷を実行し、画像が印刷されたシートを前記シート収納部に収納するか否かを制御する制御ステップと、
を含む情報処理方法。
【請求項８】
コンピュータに、
シートに画像を印刷する際に用いたデータを記憶部に保存する保存ステップと、
ジャムが検知されたときのシート収納部のシートの有無と、前記ジャムに対する処理が終了したときの前記シート収納部のシートの有無と、に応じて、前記記憶部に保存されている前記データに基づいて、再印刷を実行し、画像が印刷されたシートを前記シート収納部に収納するか否かを制御する制御ステップと、
を実行させるためのプログラム。
【請求項９】
前記制御ステップでは、前記ジャムが検知されたときに前記シート収納部にシートが有り、前記ジャムに対する処理が終了したときに前記シート収納部にシートが無かった場合、前記記憶部に保存されている前記データに基づいて、再印刷を実行し、画像が印刷されたシートを前記シート収納部に収納するよう制御する請求項８記載のプログラム。
【請求項１０】
前記再印刷が実行され、前記シート収納部に収納された前記シートを前記コンピュータの外に露出させる露出ステップを更に含む請求項８又は９記載のプログラム。
【請求項１１】
前記制御ステップでは、前記ジャムが検知されたときに前記シート収納部にシートが有り、前記ジャムに対する処理が終了したときに前記シート収納部にシートが無かった場合、操作表示部に再印刷を実行するか否かユーザに問い合わせる画面を表示し、前記画面を介して再印刷の実行が指示された場合、前記記憶部に保存されている前記データに基づいて、再印刷を実行し、画像が印刷されたシートを前記シート収納部に収納するよう制御する請求項８記載のプログラム。
【請求項１２】
前記再印刷が実行された場合、前記記憶部から前記データを削除する削除ステップを更に実行させる請求項８乃至１１何れか１項記載のプログラム。
【請求項１３】
前記ジャムに対する処理中に前記シート収納部のシートの有無の状態が変化したか否かを判定する判定ステップと、
前記判定ステップにより前記シートの有無の状態が変化したと判定された場合、前記露出ステップにより前記シートが前記コンピュータの外に露出させられた後に、印刷物が想定通りのものであるかユーザに問い合わせる問い合わせステップと、
を更に実行させる請求項１０記載のプログラム。
【発明の詳細な説明】
【技術分野】
【０００１】
本発明は、画像形成装置、情報処理方法及びプログラムに関する。
【背景技術】
【０００２】
従来、複写機等の画像形成装置においては、画像が印刷されたシート（印刷物）を装置内に一時的に収納するシート収納部を備えたものがある。
特許文献１には、装置本体の上面に設けられた複数のユーザが共同して使用する通常の排紙トレイとは別に、装置内に複数のシート収納部を備えた印刷装置が記載されている。この印刷装置では、複数のシート収納部が印刷装置内の下方に設けられている。
【先行技術文献】
【特許文献】
【０００３】
【特許文献１】特開平７−１２５９０９号公報
【発明の概要】
【発明が解決しようとする課題】
【０００４】
特許文献１に記載の印刷装置では、装置本体の上面に設けられた排紙トレイと装置内の下方に設けられたシート収納部の排紙口とが上下に大きく離れた位置にある。この構成のように２つの排紙部（排紙トレイ及び排紙口）を有する装置において、ユーザの排紙部に対するアクセスをしやすくするために、シート収納部を印刷装置内の上方に設けて、排紙トレイと排紙口との位置を近づける構成が考えられる。シート収納部を印刷部の上方に設ける構成の場合、装置を小型化するために装置に設けられた開閉カバーとシート収納部の一部とを一体化して構成する場合がある。
ここで、印刷物がシート収納部に既に収納されている状態において、装置内で発生したジャムの処理やプロセスカートリッジの交換を行うために装置の開閉カバーを開放すると、収納済みの印刷物が取り出される可能性がある。装置の開閉カバーを閉じる前に取り出された印刷物がシート収納部に戻されずに破棄された場合、そのシート収納部に収納された印刷物を印刷したユーザは、装置に印刷物を取りに来て初めて事態に気付き、再度印刷の指示を行わなければならない。
【課題を解決するための手段】
【０００５】
そこで、本発明の画像形成装置は、シートに画像を印刷する際に用いたデータを記憶部に保存する保存手段と、ジャムが検知されたときのシート収納部のシートの有無と、前記ジャムに対する処理が終了したときの前記シート収納部のシートの有無と、に応じて、前記記憶部に保存されている前記データに基づいて、再印刷を実行し、画像が印刷されたシートを前記シート収納部に収納するか否かを制御する制御手段と、を有する。
【発明の効果】
【０００６】
本発明によれば、ジャム処理によって装置内に備えられたシート収納部が開放され、シート収納部に収納されている印刷物が装置外に取り出された場合であっても、手間無く印刷物をすぐに持ち帰り可能とすることができる。
【図面の簡単な説明】
【０００７】
【図１】印刷装置の断面の一例を示す図である。
【図２】シート収納部の詳細な構成を示す図である。
【図３】シート収納部の斜視図である。
【図４】印刷装置の外観斜視図である。
【図５】印刷装置のカバー解放動作を行った際の断面図である。
【図６】印刷装置のハードウェア構成の一例を示す図である。
【図７】情報処理の一例を示すフローチャートである。
【図８】ジョブ管理テーブルの概念図である。
【図９】情報処理の一例を示すフローチャートである。
【図１０】情報処理の一例を示すフローチャートである。
【図１１】情報処理の一例を示すフローチャートである。
【図１２】ジョブ管理テーブルの概念図である。
【図１３】情報処理の一例を示すフローチャートである。
【発明を実施するための形態】
【０００８】
以下、本発明の実施形態について図面に基づいて説明する。
【０００９】
＜第１の実施形態＞
図１に、印刷装置の断面の一例を示す。図１において、印刷装置１００には、印刷部１０１が収容されている。シート給送部１０２は、印刷部１０１にシートを給送する。定着部１０３は、シートに画像を定着させる。積載部１２４は、印刷装置１００の上面に設けられ、印刷部１０１によって画像が印刷されたシート（印刷物）を積載する。積載部１２４に排出されたシートは、後述する取り出し指示の操作を必要とせずにユーザが取り上げることができる。印刷装置１００は、画像形成装置の一例である。
シート収納部２０１、２０２、２０３は、印刷部１０１によって画像が印刷された印刷物を収納する３つのシート収納部であり、印刷部１０１と積載部１２４との間に設けられている。シート収納部２０１、２０２、２０３に収納された印刷物は、後述する排出指示操作が行われたことに応じて部分的に装置外に露出するように搬送され、ユーザが引き抜くことができる。なお、ここではシート収納部が３つ備えられている例を示すが、シート収納部の数はこれ以外の数であっても良い。
印刷部１０１は、図１中で時計回りに回転する感光体ドラム１１１、露光装置１１３、感光体ドラム１１１の回転方向に沿って配設された帯電ローラ１１２、現像装置１１４、転写ローラ１１５を有している。これらの部材を用いて、印刷部１０１は、シート上にトナー像を形成する。
【００１０】
シート給送部１０２は、印刷に用いられるシートが複数枚、積層状態で収納されている給紙カセット１０５、給紙ローラ１０７、搬送ガイド１０９、レジストレーションローラ１１０等を有している。定着部１０３は、定着ローラ１１６、この定着ローラ１１６に下方から当接された加圧ローラ１１７、搬送ローラ１１８、を有している。印刷部１０１と、定着部１０３と、給紙カセット１０５との間には、シートの表裏両面に画像を印刷する場合に使用されるシートの再搬送通路１２６が設けられている。
搬送ローラ２０４は、第１のシート収納部２０１にシートを搬送するための搬送ローラである。同様に、搬送ローラ２０５は、第２のシート収納部２０２にシートを搬送するための搬送ローラである。搬送ローラ２０６は、第３のシート収納部２０３にシートを搬送するための搬送ローラである。
搬送路切り替え部材１２０は、図１にて実線で示した第１の位置と、破線で示した第２の位置とに切替え可能な搬送路切り替え部材である。搬送路切り替え部材１２０は、図１中の実線の位置と破線の位置にアクチュエータによって切り替え可能な構成となっている。搬送ローラ１２１及び１２３は、正逆転可能に設けられ、正回転することでシートを積載部１２４に排出し、逆回転することでシートを再搬送通路１２６へ向けて搬送するローラである。
【００１１】
シートを積載部１２４に向けて搬送する場合には、搬送路切り替え部材１２０が破線で示した位置に切り替えられ、シートは搬送ローラ１２１により排出ガイド１２２に沿って搬送され、反転ローラ１２３により、積載部１２４に排出される。
満載検知レバー１２５は、積載部１２４に積載されているシートの満載を検知する満載検知レバーである。満載検知レバー１２５により、シートが満載であることが検知されると、後述する制御部５０１は、積載部１２４上のシートが取り除かれるまで印刷を行わないように制御する。
また、シートの両面に画像が印刷される場合には、一方の面（表面）にトナー像が定着されたシートが反転ローラ１２３に向かって搬送される。そして、シートの後端が分岐部１２７を抜けた後、搬送ローラ１２１及び反転ローラ１２３を逆転させることで、シートはスイッチバックされ、再搬送通路１２６を通過して、印刷部１０１に再搬送される。
【００１２】
シートをシート収納部２０１、２０２、２０３に向けて搬送する場合には、搬送路切り替え部材１２０が実線で示した位置に切り替えられ、シートは搬送路１２８を通ってシート収納部２０１、２０２、２０３に搬送される。第１の切り替え部材２１１と第２の切り替え部材２１２とは、それぞれシートが搬送される経路を切り替える切り替え部材である。第１の切り替え部材２１１及び第２の切り替え部材２１２は、図１中の実線の位置と破線の位置とにアクチュエータによって切り替え可能な構成となっている。
第１のシート収納部２０１にシートを搬送する場合には、図１中の実線にて示された位置に第１の切り替え部材２１１と第２の切り替え部材２１２とがそれぞれ切り替えられ、保持される。そして画像が印刷されたシートは、搬送路１２８、搬送ガイド２０７、２０８の順に通過し、更に搬送ローラ２０４によって、第１のシート収納部２０１にフェイスダウン状態、即ちトナー像が印刷された面を下方に向けた状態で収納される。
第２のシート収納部２０２にシートを搬送する場合には、第１の切り替え部材２１１が図１中の実線にて示された位置に、第２の切り替え部材２１２が破線で示された位置にそれぞれ切り替えられ、保持される。そして画像が印刷されたシートは、搬送路１２８、搬送ガイド２０７、２０９の順に通過し、更に搬送ローラ２０５によって、第２のシート収納部２０２にフェイスダウン状態、即ちトナー像が印刷された面を下方に向けた状態で収納される。
第３のシート収納部２０３にシートを搬送する場合には、第１の切り替え部材２１１が図１中の破線にて示された位置に切り替えられ、保持される。そして画像が印刷されたシートは、搬送路１２８、搬送ガイド２１０の順に通過し、更に搬送ローラ２０６によって、第３のシート収納部２０３にフェイスダウン状態、即ちトナー像が印刷された面を下方に向けた状態で収納される。
【００１３】
シート収納部２０１、２０２、２０３に収納されたシートは、ユーザからの取り出し指示に応じて排出口２３４に搬送される。この搬送の詳細については図２及び図３を用いて後述する。排出口２３４に搬送されたシートは、部分的に装置外に露出した状態で保持され、ユーザによって引き抜かれるのを待つ。部材１０６は、排出口２３４に搬送されたシートがユーザによって引き抜かれたことを検知するための部材である。部材１０６は、シートが排出口２３４に搬送される前（及び、搬送されたシートをユーザが引き抜いた後）は図１中の実線の位置にあり、シートが排出口２３４に搬送されてユーザによる引き抜きを待っているときには破線の位置にある。なお、ここではシート収納部２０１、２０２、２０３に共通のものとして１つの排出口２３４を備える例を用いて説明したが、シート収納部毎に専用の排出口をそれぞれ備えるようにしても良い。
【００１４】
次に図２を用いて、シート収納部の詳細な構成について説明する。印刷装置１００は、複数のシート収納部２０１、２０２、２０３が上下に積み重ねられた状態で備えられている。それぞれのシート収納部の構成は同じであり、ここでは、第１のシート収納部２０１の構成について説明する。
搬送ローラ２０４により第１のシート収納部に搬送されたシートは、積載面２３１に一時的に積載されて収納される。制御部５０１は、シート有無検知部等により、積載面２３１上にシートが載置されているか否か（シート収納部が空いているか否か）が検知可能である。押し出し部材２３３は、収納されているシートの搬送方向上流端部（後端部）を押して、シートの搬送方向下流端部（先端部）の一部を排出口２３４から装置外に露出させる部材である。シートは、押し出し部材２３３により排出口２３４に押し出されることにより、ユーザが引き抜くことができる。押し出し部材２３３によって装置外に露出する部分のシート長さは３０ｍｍであるものとするが、ユーザがシートを掴むことが可能であって、かつ、シートが自重で抜け落ちてしまわない長さであればこれに限らない。
【００１５】
印刷装置１００のシート収納部２０１、２０２、２０３には収納可能なシートの枚数やサイズに制限が設けられている。より具体的には、１つのシート収納部には普通紙で一度に１５枚までしか収納できない。シート収納部におけるシートの満載は満載検知レバー２３５を用いて検知されるようになっており、普通紙よりも厚みのあるタイプのシートを用いる場合は収納可能な枚数が少なくなる場合がある。満載検知レバー２３５により、シートが満載であることが検知されると、後述する制御部５０１は、シートが満載であるシート収納部からシートが取り除かれるまで印刷を行わないように制御する。印刷装置１００は、満載検知レバー２３５を備える代わりに、シートを１枚収納する毎に収納済みのシート枚数をカウントアップし、１５枚に達したときに収納（印刷）を制限するように構成しても良い。また、上限枚数は１５枚でなくても良い。
また、印刷装置１００のシート収納部２０１、２０２、２０３にはＡ４サイズ以下の大きさのシートが収納可能である。Ａ４サイズよりも大きなサイズ（Ｂ４、Ａ３など）のシートは、積載部１２４には積載可能であるが、印刷装置１００のシート収納部２０１、２０２、２０３に収納することはできない。
押し出し部材２３３は、第１のシート収納部２０１にシートが収納される際には、シートの搬送及び積載を邪魔しない図２中にて実線で示される積載位置に位置している。一方、収納されているシートを押し出す際には、シート排出方向に沿って排出口２３４に向かって移動し、破線で示される押し出し位置（シート排出位置）へと移動する。その後、シートがユーザによって引き抜かれたことが部材１０６によって検知されると、押し出し部材２３３は積載位置に戻される。
【００１６】
図３（ａ）（ｂ）は、シート収納部２０１の斜視図である。図３（ａ）は、押し出し部材２３３が積載位置にある場合を示し、図３（ｂ）は押し出し位置にある場合を示す。押し出し部材２３３は、シート排出に伴うシートの回転を防止するため、シート幅方向にわたってふたつのシート後端押圧爪２３３ａ及び２３３ｂを有している。シートを押し出す際には、シート後端押圧爪２３３ａ及び２３３ｂがシートの上流端部を押圧してシート排出を行う。押し出し部材２３３は、積載位置と押し出し位置の間をシート排出方向に沿って往復移動する。
図４に、印刷装置１００の外観斜視図を示す。排出口２３４からは、シート収納部２０１、２０２、２０３の何れかから排出されたシート束の下流端部が露出している。ユーザは、装置外に露出した下流端部を掴んでシート束を引き抜くことで自分の印刷物を受け取ることができる。操作表示部３０７は、印刷装置１００に対するユーザからの指示を受け付けると共に、ユーザに対して各種情報を通知するための操作表示部である。
【００１７】
図５（ａ）（ｂ）は、印刷装置１００のカバー解放動作を行った際の断面図である。図５（ａ）に示すように、カバー４００とシート収容部２０１〜２０３の一部は一体化されており、カバー４００を開閉することでシート収容部の一部が回動支点Ｘを中心に一体的に回動することができる。図５（ａ）はカバー４００を開放した状態である。カバーが開放した状態であるか否かは、カバー開放検知センサ４０１により検知が可能である。更に、図５（ｂ）に示すように、カバー４００を開放させた後に、プロセスカートリッジ１３０を取り出すことができる。なお、回動支点Ｘは、シートを積載トレイに搬送する搬送手段よりも、シート搬送方向において下流側に設けられている。このように、シート収容部２０１〜２０３を一体的に開放することができるので、シート収容部２０１〜２０３にシートを搬送する際にジャムが発生しても、同じ動作でジャム処理を行うことができる。また、シート収容部２０１〜２０３を個別に開放する機構を設ける必要が無く、簡易な構成でジャム処理を行うことができる。
【００１８】
図６は、印刷装置１００のハードウェア構成の一例を示す図である。ＣＰＵ５０２を含む制御部５０１は、印刷装置１００全体の動作を制御する。ＣＰＵ５０２は、ＲＯＭ５０３に記憶された制御プログラムを読み出して、印刷動作やシート搬送、ジャム処理の制御を行う。ＣＰＵ５０２は、ジャム検知センサ３０６からの情報を基にジャムの検知を行うことができる。ＲＡＭ５０４は、ＣＰＵ５０２の主メモリ、ワークエリア等の一時記憶領域として用いられる。なお、印刷装置１００は１つのＣＰＵ５０２が１つのメモリ（ＲＡＭ５０４）を用いて後述するフローチャートに示す各処理を実行するものとするが、他の態様であっても良い。例えば、複数のＣＰＵや複数のＲＡＭを協働させて各処理を実行するようにすることもできる。
操作表示部Ｉ／Ｆ５０５は、操作表示部３０７と制御部５０１とを接続する。操作表示部３０７は、後述する印刷物の取り出し指示を受け付けるための受付部としての役割と、後述するユーザ認証に必要なユーザＩＤをＩＣカードから読み取るためのカードリーダとしての役割を担う。また、操作表示部３７０は、後述するユーザに対する通知を行うための画面を表示する表示部としての役割を担う。
【００１９】
印刷部Ｉ／Ｆ５０６は、印刷部１０１と制御部５０１とを接続する。印刷部１０１で印刷すべき画像は印刷部Ｉ／Ｆ５０６を介して制御部５０１から転送され、印刷部１０１によりシート上に印刷される。
ネットワークＩ／Ｆ５０７は、印刷装置１００をＬＡＮ（Ｌｏｃａｌ  Ａｒｅａ  Ｎｅｔｗｏｒｋ）５１０に接続する。ＬＡＮ５１０にはクライアントＰＣ６２０が接続されており、クライアントＰＣ６２０にインストールされたプリンタドライバによって生成された印刷ジョブをネットワークＩ／Ｆ５０７が受信する。
ＣＰＵ５０２がＲＯＭ５０３等に記憶されたプログラムに基づき処理を実行することによって、印刷装置１００の機能及び印刷装置１００のフローチャートの処理が実現される。
【００２０】
図７は、印刷装置１００において、クライアントＰＣ６２０から受信した印刷ジョブに基づいてシートに画像を印刷する情報処理の一例を示すフローチャートである。図７のフローチャートに示す各動作（ステップ）は、印刷装置１００の制御部５０１がＲＯＭ５０３に記憶された制御プログラムを実行することにより実現される。
ステップＳ７０１では、制御部５０１は、印刷ジョブを受信したか否かを判定する。制御部５０１は、印刷ジョブを受信したと判定した場合はステップＳ７０２に進み、印刷ジョブを受信していないと判定した場合は受信するまで待機する。
ステップＳ７０２では、制御部５０１は、受信した印刷ジョブにバッファモードが指定されているか否かを判定する。印刷装置１００はバッファモードと通常モードとの２つのモードで動作し、ユーザは、どちらのモードで印刷するかを、プリンタドライバで指定することができる。なお、印刷装置１００はバッファモード及び通常モード以外のモードで更に動作するようにしても良い。
バッファモードとは、印刷物をシート収納部２０１、２０２、２０３の何れかに一時的に収納し、ユーザの取り出し指示に応じて排出口２３４から取り出せるようにするモードである。バッファモードを指定すると、ユーザがクライアントＰＣ６２０で印刷指示を行った後、印刷装置１００の設置場所に到着する前に印刷が開始される。そのため、設置場所に到着した後に印刷を開始する構成と比較してユーザの待ち時間を少なくすることができる利点がある。
【００２１】
制御部５０１は、ステップＳ７０２の判定の結果、バッファモードが指定されていると判定した場合は、ステップＳ７０３に進み、バッファモードが指定されていない（通常モードが指定されている）と判定した場合は、ステップＳ７０８に進む。
ステップＳ７０８では、制御部５０１は、受信した印刷ジョブに基づいてシートに画像を印刷し、排出ガイド１２２等を経由させて印刷物を積載部１２４に排出する。積載部１２４に排出された印刷物はユーザ認証を必要とせずに取り上げることができる。
ステップＳ７０３では、制御部５０１は、シート収納部２０１、２０２、２０３に空きがあるか否かを判断する。制御部５０１は、空きがあると判断した場合はステップＳ７０４に進み、空きがないと判断した場合はステップＳ７０８に進む。ステップＳ７０８に進んだ場合、制御部５０１は、前述の通常モードで印刷する。制御部５０１は、後述するジョブ管理テーブルによって、受信した印刷ジョブと同一ユーザの印刷物が既にシート収納部で収納されていると判断でき、かつ、満載が検知されていなければ、前記シート収納部に空きがあると判断することができる。
【００２２】
ステップＳ７０４では、制御部５０１は、ＲＯＭ５０３に記憶されているジョブ管理テーブルに新たなジョブレコードを追加する。図８は、ジョブ管理テーブル８００の概念図である。ジョブ管理テーブル８００には、１つの印刷ジョブにつき１つのレコードを用いて印刷ジョブが管理され、左から順にジョブＩＤ、ユーザＩＤ、受信日時、収納部ＩＤ、保存情報が記録される。ＲＯＭ５０３は、記憶部の一例である。また、ジョブレコードは、データの一例である。
ジョブＩＤは、バッファモードが指定された印刷ジョブに対して受信順に印刷装置１００が割り当てる情報である。クライアントＰＣ６２０側で割り当てられたジョブＩＤがある場合は、制御部５０１は、前記ジョブＩＤを代用しても良い。ユーザＩＤは、受信した印刷ジョブの所有者であるユーザを示す情報である。ユーザＩＤはクライアントＰＣ６２０から受信する印刷ジョブに含まれるものとする。
受信日時は、印刷装置１００が印刷ジョブを受信した日時を示す情報である。収納部ＩＤは、印刷ジョブの実行結果である印刷物がシート収納部に収納される場合の、収納先のシート収納部を示す情報である。ここでは収納部ＩＤとして、図２で各シート収納部に付した２０１、２０２、２０３という番号がＩＤとして用いられる例を説明するが、シート収納部を個別に識別できる情報であれば他の情報であっても良い。収納部ＩＤは印刷物が収納される収納先のシート収納部２０１、２０２、２０３に対応するＩＤが記録される。
【００２３】
図７の説明に戻り、ステップＳ７０５では、制御部５０１は、ステップＳ７０４で追加したジョブレコードに、空いているシート収納部（これから使用するシート収納部）のＩＤを記録する。
ステップＳ７０６では、制御部５０１は、受信した印刷ジョブを、ステップＳ７０４で追加したジョブレコードに関連付けてＲＡＭ５０４に保存する。
ステップＳ７０７では、制御部５０１は、印刷部１０１を制御して印刷ジョブに含まれる各ページの画像をそれぞれシートに印刷し、搬送路１２８等を経由させてシート収納部に収納する。
以上の動作により、バッファモードが指定された印刷ジョブは、受信に応じて印刷され、空いているシート収納部に格納されると共に、ジョブレコードと印刷ジョブとが保存される。一方、通常モードが指定された印刷ジョブについては、受信に応じて印刷が行われ、積載部１２４に排出される。
【００２４】
図９は、印刷装置１００において、バッファモードが指定された印刷ジョブに基づく印刷物をユーザが取り出す場合の動作を説明するフローチャートである。図９のフローチャートに示す各動作（ステップ）は、印刷装置１００の制御部５０１がＲＯＭ５０３に記憶された制御プログラムを実行することにより実現される。
ステップＳ９０１では、制御部５０１は、操作表示部３０７を介してユーザからの取り出し指示を受け付けたか否かを判定する。制御部５０１は、取り出し指示を受け付けたと判定した場合はステップＳ９０２に進み、取り出し指示を受け付けていないと判定した場合は受け付けるまで待機する。
ステップＳ９０２では、制御部５０１は、ユーザからユーザＩＤの入力を受け付ける。ＩＣカードが使用される場合、操作表示部３０７によってＩＣカードから読み取られたユーザＩＤが制御部５０１に入力される。なお、制御部５０１は、ＩＣカードが操作表示部３０７にかざされたことをもって印刷物の取り出し指示を受け付けたと判断するようにしても良い。また、制御部５０１は、ユーザＩＤに加えてパスワードの入力を受け付けるようにしても良い。ＩＣカードが用いられる場合、ユーザＩＤが取得されたことをもってユーザの本人確認が取れたものとするが、テンキー等を用いてユーザＩＤを直接、入力させる場合、パスワードを併せて入力させることによりセキュリティを高めるようにしても良い。
【００２５】
ステップＳ９０３では、制御部５０１は、ステップＳ９０２で受け付けたユーザＩＤに対応するジョブレコードをジョブ管理テーブル８００から検索する。
ステップＳ９０４では、制御部５０１は、ステップＳ９０３における検索の結果、該当するジョブレコードが見つかったか否かを判定する。制御部５０１は、ジョブレコードが見つかったと判定した場合はステップＳ９０６に進み、ジョブレコードが見つからなかったと判定した場合はステップＳ９０５に進む。
ステップＳ９０５では、制御部５０１は、ジョブが存在しない旨をユーザに通知するための画面を操作表示部３０７に表示する。
ステップＳ９０６では、制御部５０１は、見つかったジョブレコードが使用しているシート収納部に収納済みの印刷物を、押し出し部材２３３を用いて搬送し、排出口２３４から装置外に露出させる。ユーザは露出部分を掴んで引き抜くことによって印刷物を受け取ることができる。
ステップＳ９０７では、制御部５０１は、ステップＳ９０６で処理したジョブレコードをジョブ管理テーブル８００から削除し、また、前記ジョブレコードに関連付けて保存した印刷ジョブを削除する。なお、制御部５０１は、ステップＳ９０４で複数のジョブレコードが見つかった場合は、ステップＳ９０６に戻って次のジョブレコードの処理を継続するようにしても良い。
【００２６】
以上の動作により、シート収納部に収納済みの印刷物は、ユーザの取り出し指示に応じて装置外に露出される。よって、ユーザは予め印刷されシート収納部に収納されていた印刷物をすぐに持ち帰ることができる。
【００２７】
図１０は、印刷装置１００において、ジャムが発生した場合のジャム処理の動作を説明するフローチャートである。図１０のフローチャートに示す各動作（ステップ）は、印刷装置１００の制御部５０１がＲＯＭ５０３に記憶された制御プログラムを実行することにより実現される。なお、本実施形態においてジャムとは、カバーを開放しなければ処理できないジャムのことを言う。より具体的には、定着ローラ１１６と加圧ローラ１１７とによって形成される定着ニップ部において発生したジャムや、搬送手段２０４〜２０６によってシート収納部２０１〜２０３に搬送される途中で発生したジャム等を指す。これらのジャムは、図１に示したジャム検知センサ３０６ａ、３０６ｂ、そして図２に示したシート有無センサ２１６〜２１８を使用することで検知することができる。
ステップＳ１００１では、制御部５０１は、ジャム発生時の各シート収納部におけるシートの有無を確認し、ＲＡＭ５０４に記憶する。シート有無検知センサ２１６、２１７、２１８によって、対応するシート収納部２０１、２０２、２０３のシートの有無が検知可能である。
ステップＳ１００２では、制御部５０１は、ジャムが発生した旨をユーザに通知するための画面を操作表示部３０７に表示する。
そして、ステップＳ１００３では、制御部５０１は、ユーザによるジャム処理が完了するまで待機する。ステップＳ１００３において、制御部５０１は、カバー開放検知センサ４０１によって、カバー４００が閉じられたことが検知でき、ジャム検知センサ３０６ａ、３０６ｂがジャムを検知しない状態となったことで、ジャム処理の完了と判定することができる。
【００２８】
ステップＳ１００４では、制御部５０１は、ユーザによってジャム処理が行われた後のシート収納部２０１、２０２、２０３のシートの有無を確認する。シートの有無はシート有無検知センサ２１６、２１７、２１８によって検知することができる。
ステップＳ１００５では、制御部５０１は、各シート収納部のシートの有無が、ジャム処理前にシートが無い状態から、ジャム処理後にシートが有る状態へと変化したか否かを判定する。制御部５０１は、ジャム処理前のシートの有無を、ステップＳ１００１で記憶したジャム処理前のシートの有無によって判断できる。また、制御部５０１は、ジャム処理後のシートの有無を、ステップＳ１００４で確認したジャム処理後のシートの有無とから判断できる。制御部５０１は、ジャム処理の前後で、シートが無い状態から有る状態へと変化したと判定した場合にはステップＳ１００６へと進み、そうでない場合にはステップＳ１００７へと進む。
ステップＳ１００６では、制御部５０１は、シート収納部に収納されている印刷物を、押し出し部材２３３を用いて搬送し、排出口２３４から装置外に露出させる。その後、制御部５０１は、部材１０６によってシートの引き抜きを検知し、押し出し部材２３３が積載位置に戻った後に、ステップＳ１０１０に進む。
【００２９】
ステップＳ１００７では、制御部５０１は、各シート収納部のシートの有無が、ジャム処理前にシートが有る状態から、ジャム処理後にシートが無い状態へと変化したか否かを判定する。制御部５０１は、ジャム処理の前後で、シートが有る状態から無い状態へと変化したと判定した場合にはステップＳ１００８へと進み、そうでない場合にはステップＳ１０１０へと進む。
ステップＳ１００８では、制御部５０１は、ジャム処理前後でシートが有る状態から無い状態へと変化したシート収納部の収納部ＩＤを持つジョブレコードを、ジョブ管理テーブル８００から検索する。
ステップＳ１００９では、制御部５０１は、見つかったジョブレコードに関連付けてＲＡＭ５０４に保存された印刷ジョブを読み込み、印刷部１０１を制御して印刷ジョブに含まれる各ページの画像をそれぞれシートに印刷させる。そして、制御部５０１は、搬送路１２８等を経由させてシート収納部に印刷物を収納させる。なお、制御部５０１は、ステップＳ１００９で見つかったジョブレコードを印刷する際、例えば、操作表示部３０７に再印刷するか否かを表示し、ユーザに選択させる等しても良い。その際、制御部５０１は、再印刷を行わないとユーザによって選択された場合は、見つかったジョブレコードをジョブ管理テーブル８００から削除すると共に、前記ジョブレコードに関連付けて保存されている印刷ジョブを削除する。また、制御部５０１は、操作表示部３０７への表示を一定時間だけ行い、その間に指示があったときのみ再印刷し、指示がなかった場合には再印刷を行わないようにしても良い。同様に、制御部５０１は、操作表示部３０７への表示を一定時間だけ行い、その間に指示があったときのみ再印刷を行わないようにし、指示がなかった場合には再印刷を行うようにしても良い。また、制御部５０１は、一定時間表示を行った際に指示があった場合に、再印刷を行うか、又は行わないか等の選択画面を予め操作表示部３０７に表示させ、ユーザに選択させるようにしてもよい。そして、制御部５０１は、前記選択画面を介してユーザによって選択された設定情報をＲＯＭ５０３等に保持しておき、前記設定情報に応じて、印刷装置１００を制御する等しても良い。
ステップＳ１０１０では、制御部５０１は、全てのシート収納部で、ステップＳ１００４からＳ１００６又はＳ１００９までの処理が終了したかを判定する。制御部５０１は、全てのシート収納部で、前記処理が終了していなければステップＳ１００４へ戻り、終了していれば図１０に示すフローチャートの処理を終了する。
【００３０】
以上の動作により、シート収納部に印刷物が収納されている状態でジャム処理が行われたとき、ジャム処理前後での各シート収納部のシートの有無の変化を検知することによって、抜き取られた印刷物の再印刷を自動で行うことができる。また、ジャムを解消してカバー４００を閉じる際に、抜き取った印刷物を元のシート収納部と異なる場所に誤って収納した場合でも、自動でシート収納部から印刷物を露出させるため、不適切な印刷物がシート収納部を専有することを防ぐことができる。
【００３１】
＜第２の実施形態＞
次に、第２の実施形態について説明する。第１の実施形態では、ジャム処理前とジャム処理後とのシート収納部におけるシートの有無が変化した場合のみを想定した。これに対して第２の実施形態では、ジャム処理中のシート収納部におけるシートの有無の変化を更に考慮する。なお、以下では第１の実施形態と異なる点についてのみ説明し、それ以外の点については第１の実施形態と同様であるものとする。
図１１は、第１の実施形態の図１０のフローチャートに対応するものであり、印刷装置１００において、ジャムが発生した場合のジャム処理の動作を説明するフローチャートである。図１１のフローチャートに示す各動作（ステップ）は、印刷装置１００の制御部５０１がＲＯＭ５０３に記憶された制御プログラムを実行することにより実現される。
ステップＳ１１０１では、制御部５０１は、ジャム処理中の各シート収納部におけるシートの有無の状態が変化したか否かを検出し、その結果をＲＡＭ５０４に記憶する。
ステップＳ１００３では、制御部５０１は、ユーザによるジャム処理が完了するまで待機する。制御部５０１は、シート有無検知センサ２１６、２１７、２１８によって、対応するシート収納部２０１、２０２、２０３のシートの有無の状態の変化が検知可能である。
【００３２】
ステップＳ１００７では、制御部５０１は、各シート収納部のシートの有無が、ジャム処理前にシートが有る状態から、ジャム処理後にシートが無い状態へと変化したか否かを判定する。制御部５０１は、ジャム処理の前後で、シートが有る状態から無い状態へと変化したと判定した場合にはステップＳ１００８へと進み、そうでない場合にはステップＳ１１０２へと進む。
ステップＳ１１０２では、制御部５０１は、ステップＳ１１０１でジャム処理中のシートの有無の状態が変化したか否かを判定する。制御部５０１は、一度でも状態が変化したと判定した場合にはステップＳ１１０３へと進み、変化していないと判定した場合にはステップＳ１０１０へ進む。
ステップＳ１１０３では、制御部５０１は、ジャム処理中のシートの有無の状態が変化したシート収納部の収納部ＩＤを持つジョブレコードを、ジョブ管理テーブル８００から検索する。
ステップＳ１１０４では、制御部５０１は、ステップＳ１１０３における検索の結果、該当するジョブレコードが見つかったか否かを判定する。制御部５０１は、ジョブレコードが見つかったと判定した場合にはステップＳ１１０５に進み、ジョブレコードが見つからなかったと判定した場合にはステップＳ１０１０に進む。
ステップＳ１１０５では、制御部５０１は、見つかったジョブレコードに、ジャム処理中のシートの有無の状態の変化があったことを記録する。
【００３３】
図１２は、第２の実施形態におけるジョブ管理テーブル１２００の概念図である。ジョブ管理テーブル１２００には、第１の実施形態におけるジョブ管理テーブル８００の項目に加え、シートの状態変化情報が記録される。シートの状態変化情報は、印刷物が収納されたシート収納部において、ジャム処理中にシートの有無が変化したか否かを示す情報である。シートの状態変化情報には、デフォルト値として、シートの有無の変化が無かったことを示す「無」が記録されており、ジャム処理中のシートの有無の状態の変化があったとき、見つかったジョブレコードのシートの状態変化情報が「有」に更新される。
【００３４】
以上の動作により、制御部５０１は、ジャム処理中のシート収納部におけるシートの有無の状態の変化を検知することで、ユーザがシート収納部からシートを抜き取った後、カバー４００を閉じる前にシートをシート収納部に戻す等したことを知ることができる。
【００３５】
図１３は、第１の実施形態の図９のフローチャートに対応するものであり、印刷装置１００において、バッファモードが指定された印刷ジョブに基づく印刷物をユーザが取り出す場合の動作を説明するフローチャートである。図１３のフローチャートに示す各動作（ステップ）は、印刷装置１００の制御部５０１がＲＯＭ５０３に記憶された制御プログラムを実行することにより実現される。
ステップＳ１３０１では、制御部５０１は、見つかったジョブレコードのシートの状態変化情報を確認し、「有」である場合にはステップＳ１３０２に進み、「無」である場合にはステップＳ９０７に進む。
ステップＳ１３０２では、制御部５０１は、受け取った印刷物が想定通りの正しいものであるか否かを確認する旨をユーザに通知し、結果の選択を求めるための画面を操作表示部３０７に表示する。
ステップＳ１３０３では、制御部５０１は、受け取った印刷物が正しいものであるか否かの選択指示に応じて、正しいと選択された場合にはステップＳ９０７に進み、正しくないと選択された場合にはステップＳ１３０４に進む。
ステップＳ１３０４では、制御部５０１は、見つかったジョブレコードに関連付けて保存された印刷ジョブを読み込む。制御部５０１は、印刷部１０１を制御して印刷ジョブに含まれる各ページの画像をそれぞれシートに印刷し、排出ガイド１２２等を経由させて印刷物を積載部１２４に排出する。なお、制御部５０１は、通常モードとしてシートを積載部１２４に排出せず、バッファモードとして搬送路１２８等を経由させてシート収納部に収納させても良い。その際には、制御部５０１は、ステップＳ９０７でジョブレコードとそれに関連付けて保存した印刷ジョブを削除することなく図１３に示すフローチャートの処理を終了する。
【００３６】
ジャム処理中にシートが抜き差しされている場合には、印刷物が入れ替わっている可能性がある。そのため、以上の動作により、制御部５０１は、シート収納部から印刷物を露出しても、印刷物が正しいか否かの確認がとれるまでは再印刷が可能な状態を維持することが出来る。
【００３７】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読み出し実行する処理でも実現可能である。また、１以上の機能を実現する回路（例えば、ＡＳＩＣ）によっても実現可能である。
【００３８】
上述した各実施形態によれば、ジャム処理によって装置内に備えられたシート収納部が開放され、シート収納部に収納されている印刷物が装置外に取り出された場合であっても、手間無く印刷物をすぐに持ち帰り可能とすることができる。
【符号の説明】
【００３９】
１００  印刷装置、５０１  制御部
【図１】
2016097631.tif 000003
【図２】
2016097631.tif 000004
【図３】
2016097631.tif 000005
【図４】
2016097631.tif 000006
【図５】
2016097631.tif 000007
【図６】
2016097631.tif 000008
【図７】
2016097631.tif 000009
【図８】
2016097631.tif 000010
【図９】
2016097631.tif 000011
【図１０】
2016097631.tif 000012
【図１１】
2016097631.tif 000013
【図１２】
2016097631.tif 000014
【図１３】
2016097631.tif 000015